(57)【要約】【課題】着脱自在なシート状フィルタを設置するものであって、吸引された塵埃およびシート状フィルタを廃棄する時の清潔性を向上させる電気掃除機を提供する。【解決手段】集塵部２はケース体７とフィルター部８と、両者に挟まれたフィルター留め具１０とから構成され、留め具１０は、フィルター留め枠１３と、シート状フィルタ９を支持する一対の略コ字状のフィルターフレーム１０ａ、１０ｂと、両者を回動自在に接合する一対のフレームヒンジ１６ａ、１６ｂと、これに、牽引繋ぎ材１５ａ、１５ｂを介して回動自在に接続された牽引ハンドル１５ｃと、を具備している。フィルター留め枠１３には牽引用孔１３ａ、１３ｂが形成され、牽引ハンドル１５ｃを牽引することによって、フィルターフレーム１０ａ、１０ｂは牽引用孔１３ａ、１３ｂに引き込まれて当接し、シート状フィルタ９は二つ折りに重なって、袋状になる。【選択図】図５
2008220649.tif 000002
【特許請求の範囲】
【請求項１】
本体と、外気を吸引して前記本体内に風路を形成する電動送風機と、塵埃を捕集するためのシート状フィルターを着脱自在に支持するために前記風路内に配置されたフィルター留め具と、を有する電気掃除機であって、
前記フィルター留め具が、前記風路を形成する風路開口部を具備するフィルター留め枠と、該フィルター留め枠に回動自在に配置された一対の略コ字状のフィルターフレームと、該フィルターフレーム同士をそれぞれの両先端において回動自在に接合するヒンジと、該ヒンジを開閉するヒンジ開閉手段と、を具備し、
前記ヒンジ開閉手段によって前記ヒンジが開かれた際に形成される略矩形状の枠体に、前記シート状フィルターの周囲が支持され、
前記シート状フィルターが支持された状態で前記ヒンジ開閉手段によって前記ヒンジが閉じられた際、前記シート状フィルターの周囲の一方の略コ字状範囲が前記シート状フィルターの周囲の他方の略コ字状範囲に重なって前記シート状フィルターは袋状になり、該袋状の中に捕集された塵埃が収納されることを特徴とする電気掃除機。
【請求項２】
前記ヒンジ開閉手段が、前記ヒンジに接続された牽引部材と、前記フィルター留め枠に形成された前記牽引部材が摺動自在に貫通する牽引用孔と、を有し、  
前記牽引部材が前記牽引用孔に貫通された状態で牽引された際、前記ヒンジが前記牽引用孔に引き込まれて閉じることを特徴とする請求項１記載の電気掃除機。
【請求項３】
前記ヒンジ開閉手段が、前記牽引部材の前記ヒンジが接続されていない端部に回動自在に設置された牽引ハンドルを有し、
該牽引ハンドルは、前記フィルター留め枠と略平行になるまで倒伏された際、前記風路の外に位置することを特徴とする請求項２記載の電気掃除機。
【請求項４】
前記ヒンジ開閉手段が、前記ヒンジを開く方向に付勢する開方向付勢手段を有することを特徴とする請求項２または３記載の電気掃除機。
【請求項５】
前記ヒンジ開閉手段が、前記ヒンジを閉じる方向に付勢する閉方向付勢手段と、前記ヒンジが開かれた状態で前記ヒンジを回動不能に固定するヒンジ固定手段と、を有し、
該ヒンジ固定手段によって固定された状態で前記シート状フィルターがフィルター留め枠に設置され、
前記ヒンジ固定手段が前記ヒンジを開放した際、前記シート状フィルターは袋状になることを特徴とする請求項１記載の電気掃除機。
【請求項６】
本体と、外気を吸引して前記本体内に風路を形成する電動送風機と、塵埃を捕集するためのシート状フィルターを着脱自在に支持するために前記風路内に配置されたフィルター留め具と、を有する電気掃除機であって、
前記フィルター留め具が、前記風路を形成する風路開口部を具備するフィルター留め枠と、該フィルター留め枠に回動自在に配置された一対の略コ字状のフィルターフレームと、該フィルターフレーム同士をそれぞれの両先端において回動自在に接合するヒンジと、該ヒンジを開閉するヒンジ開閉手段と、を具備し、
前記ヒンジ開閉手段が、前記それぞれのフィルターフレームの一方の先端から延設されたフレーム延設部を具備する鋏状であって、
前記フレーム延設部同士が同一面になる方向に前記鋏状が開かれた際、前記一対のフィルターフレームの前記ヒンジを挟んで形成される略矩形状の枠体に、前記シート状フィルターの周囲が支持され、
前記シート状フィルターが支持された状態で前記フレーム延設部同士が当接する方向に前記鋏状が閉じられた際、前記シート状フィルターの周囲の一方の略コ字状範囲が前記シート状フィルターの周囲の他方の略コ字状範囲に重なって前記シート状フィルターは袋状になり、該袋状の中に捕集された塵埃が収納されることを特徴とする電気掃除機。
【請求項７】
前記フィルター留め具が設置される位置よりも下流側に、１または２以上の固定型フィルタが設置されることを特徴とする請求項１乃至６の何れかに記載の電気掃除機。
【請求項８】
前記本体が、空気吸引口が形成された上流側面および開口した下流側面を具備する筒状の本体上流部と、該本体上流部に着脱自在に接続され、前記電動送風機を具備する本体下流部と、を有し、
前記固定型フィルターが前記本体上流部の下流側面の外縁部に回動自在に軸支され、
前記下流側面に配置されたフィルター留め具が、回動して前記下流側面に配置された前記固定型フィルターによって保持されることを特徴とする請求項７記載の電気掃除機。
【請求項９】
前記本体上流部の下流側面の外縁部で前記固定型フィルターが軸支された位置に対向する位置に、前記下流側面に配置された前記固定型フィルターを傾動不能に固定するフィルターロック機構と、前記下流側面に配置された前記フィルター留め具を所定の角度だけ傾動自在にする留め具ロック機構と、が設けられることを特徴とする請求項８記載の電気掃除機。
【請求項１０】
前記フィルターロック機構が、前記本体上流部に片持ち梁状に設置された傾動自在または可撓性を具備するロック用プレートと、該ロック用プレートに形成されたフィルターロック爪および留め具ロック爪と、を有し、
前記ロック用プレートの傾動量または撓み量が小さいとき、前記フィルターロック爪は前記フィルターを開放し、前記留め具ロック爪は前記フィルター留め具を支持し、
前記ロック用プレートの傾動量または撓み量が大きいとき、前記フィルターロック爪は前記フィルターを開放し、前記留め具ロック爪は前記フィルター留め具を開放する、
ことを特徴とする請求項９記載の電気掃除機。
【請求項１１】
前記留め具ロック機構を操作する留め具ロック操作ボタンと、前記フィルターロック機構を操作するフィルターロック操作ボタンと、が前記本体上流部に配置されていることを特徴とする請求項９または１０記載の電気掃除機。
【請求項１２】
前記フィルターロック機構は前記フィルターを開放し、前記留め具ロック機構は前記フィルター留め具を支持するように操作する第一操作ボタンと、前記フィルターロック機構が前記フィルターを開放している場合に限り、前記留め具ロック機構が前記フィルター留め具を開放するように操作する第二操作ボタンと、が前記本体上流部に配置されていることを特徴とする請求項９乃至１１の何れかに記載の電気掃除機。
【発明の詳細な説明】
【技術分野】
【０００１】
本発明は電気掃除機、特に、集塵部にフィルターを着脱自在に設置する電気掃除機に関するものである。
【背景技術】
【０００２】
従来の掃除機において、集塵部に配置されたウレタン等からなるフィルター（以下、「固定型フィルター」と称す）の清掃等を容易にするため、フィルターの吸気上流側に使い捨てのシート状フィルター（たとえば、テッシュ等）を着脱自在に設置して、フィルターの目詰まりを抑制しようとする発明が開示されている（例えば、特許文献１参照）。
【０００３】
【特許文献１】特開２００５−３１８９１５号公報（第５頁、図２）
【発明の開示】
【発明が解決しようとする課題】
【０００４】
しかしながら、特許文献１に開示された電気掃除機は、シート状フィルターが集塵室の開口部に取り付けられるものであって、開閉扉と機能している。そして、シート状フィルターにはフラットな取付面が形成されているため、集塵室に吸引された塵埃はシート状フィルターのフラットな面に付着するだけである。
このため、吸引された塵埃を廃棄するために集塵室を開けた際、塵埃の飛散が抑えられず、また、捕捉した塵埃が付着しているシート状フィルターを廃棄する際、シート状フィルターからの舞い上がりを抑えることができず、周囲の清潔性が損なわれて使用者に不快感を与えるという問題があった。
【０００５】
そこで本発明は、このような課題を解決するためになされたものであり、着脱自在なシート状フィルターを設置するものであって、吸引された塵埃および使用済みのシート状フィルターを廃棄する時の清潔性を向上させる電気掃除機を提供するものである。
【課題を解決するための手段】
【０００６】
本発明に係る電気掃除機は、本体と、外気を吸引して前記本体内に風路を形成する電動送風機と、塵埃を捕集するためのシート状フィルターを着脱自在に支持するために前記風路内に配置されたフィルター留め具と、を有する電気掃除機であって、
前記フィルター留め具が、前記風路を形成する風路開口部を具備するフィルター留め枠と、該フィルター留め枠に回動自在に配置された一対の略コ字状のフィルターフレームと、該フィルターフレーム同士をそれぞれの両先端において回動自在に接合するヒンジと、該ヒンジを開閉するヒンジ開閉手段と、を具備し、
前記ヒンジ開閉手段によって前記ヒンジが開かれた際に形成される略矩形状の枠体に、前記シート状フィルターの周縁部が支持され、
前記シート状フィルターが支持された状態で前記ヒンジ開閉手段によって前記ヒンジが閉じられた際、前記シート状フィルターの周縁部の一方の略コ字状範囲が前記シート状フィルターの周縁部の他方の略コ字状範囲に重なって前記シート状フィルターは袋状になり、該袋状の中に捕集された塵埃が収納されることを特徴とするものである。
【発明の効果】
【０００７】
したがって、本発明に係る電気掃除機は、ヒンジ開閉手段の操作によってシート状フィルターが袋状になり、該袋内に捕集された塵埃が収納されるため、集塵室を開けた際、塵埃の飛散が抑えられ、また、シート状フィルターを廃棄する際、簡便な操作によって捕捉した塵埃の舞い上がりを抑えることができるから、使い勝手および清潔性が向上して使用者に不快感を与えることがなくなる。
【発明を実施するための最良の形態】
【０００８】
以下、本発明に係る電気掃除機の好適な実施の形態について添付図面を参照して説明する。尚、以降の各図面において同一または相当する部材には同じ符号を付し、一部の説明を省略する。
【０００９】
[実施の形態１]
図１〜図５は本発明の実施形態１に係る電気掃除機を模式的に示すものであって、図１は掃除機本体の平面視の断面図、図２は集塵部の平面視の断面図、図３は留め具の正面図（上流側から見る）、図４は留め具の背面図（下流側から見る）、図５は留め具の平面視の断面図である。
【００１０】
（掃除機本体）
図１において、電気掃除機１００は、掃除機本体１と、掃除機本体１内に配置された、塵埃を集塵する集塵部２と、集塵部２を通過する風路を形成する電動送風機３とから構成されている。
掃除機本体１の上流側には本体ダストカバー４が設置され、本体ダストカバー４は集塵部２を覆っている。そして、本体ダストカバー４の一部に、ホース５が着脱自在に接続される吸気流入口６が形成されているから、吸気流入口６から集塵部２を経由して電動送風機３に至る風路が形成されることになる。
【００１１】
（集塵部）
図２において、集塵部２は本体ダストカバー４（図１参照）によって覆われるものであって、集塵室７と、集塵室７の下流側に設置されるフィルター留め具１０と、フィルター留め具１０の下流側に設置されるフィルター部８とから構成されている。フィルター留め具１０は枠体であって、その枠にシート状フィルター９の周縁部が着脱自在に支持され、シート状フィルター９の周縁部を除く中央部は枠内に侵入して凹部を形成している（これについては別途詳細に説明する）。
【００１２】
（集塵室）
集塵室７は風路を形成する二重管構造であって、一方の面に開口したフィルター側開口部（下流側開口部に同じ）７ａが形成された留め具設置面（上流側面に同じ）７ｂと、ケース外筒部７ｃと、ケース外筒部７ｃに連なるケース天井部（下流側面に同じ）７ｄと、ケース天井部７ｄに形成されたホース用孔部７ｅと、ケース内筒部７ｆと、を具備している。
すなわち、ホース用孔部７ｅは本体ダストカバー４の吸気流入口６に連通し、ホース５が挿入されるものである。また、ケース内筒部７ｆは、ホース用孔部７ｅを包囲して、ホース用孔部７ｅからフィルター側開口部７ａに至る風路を形成すると共に、と、フィルター留め具１０に塵埃が堆積しないようにフィルター留め具１０を覆う機能を有している。
【００１３】
（シート状フィルター）
図２において、シート状フィルター９は、吸引した塵埃と共にその都度交換されるものであって、たとえば、市販の「テッシュ」である。シート状フィルター９の周縁部は、下流側の面がフィルター留め具１０（正確には留めフィルターフレーム１０ａ、１０ｂ）に着脱自在に当接し、上流側の面が集塵室７の留め具設置面７ｂに当接している。
【００１４】
（フィルター）
フィルター部８は、一次フィルター部１１と二次フィルター部１２とから構成される。一次フィルター部１１は、平板上の一次フィルター１１ａとこれを保持する一次フィルター保持体１１ｂから構成され、二次フィルター部１２は、プリーツ上の二次フィルター１２ａとこれを保持する二次フィルター保持体１２ｂから構成される。
【００１５】
（フィルター留め具）
図３〜図５において、シート状フィルター留め具（以下「フィルター留め具」と称す）１０は、風路を形成する風路開口部１３ｆを具備するフィルター留め枠１３と、フィルター留め枠１３の一方の面（上流側に配置される面）の外周縁に沿って設置されたパッキン１４と、フィルター留め枠１３の一方の面（上流側に配置される面）に回動自在に配置された一対の略コ字状のフィルターフレーム１０ａ、１０ｂと、フィルターフレーム１０ａ、１０ｂ同士をそれぞれの両先端において回動自在に接合するヒンジ１６ａ、１６ｂと、ヒンジ１６ａ、１６ｂを開閉するヒンジ開閉手段１５と、を具備している。そして、ヒンジ１６ａ、１６ｂが開いた状態で、フィルターフレーム１０ａとフィルターフレーム１０ｂとは略矩形状のフレーム開口部１０ｆを囲む枠体を形成している。
【００１６】
（ヒンジ開閉手段）
ヒンジ開閉手段１５は、ヒンジ１６ａ、１６ｂに接続された牽引繋ぎ材１５ａ、１５ｂと、フィルター留め枠１３に形成された牽引用孔１３ａ、１３ｂと、牽引繋ぎ材１５ａ、１５ｂのヒンジ１６ａ、１６ｂが接続されていない端部に回動自在に接続された牽引ハンドル１５ｃと、から形成されている。
このとき、牽引用孔１３ａ、１３ｂには牽引繋ぎ材１５ａ、１５ｂが摺動自在に貫通し、フィルターフレーム１０ａ、１０ｂは重なった状態で通過自在である。また、牽引ハンドル１５ｃはヒンジ１６ａ、１６ｂと略同じ形状の略コ字状である。このため、牽引ハンドル１５ｃは、フィルター留め枠１３と略平行になるまで倒された際、風路開口部１３ｆの外側に位置し、フィルター留め枠１３の面（下流側の面）に略全面が当接する。
【００１７】
（ヒンジの開閉要領）
図６〜図８は本発明の実施形態１に係る電気掃除機におけるフィルター留め具のヒンジの開閉状況を、工程を追って模式的に示す平面視の断面図である。
図６において、フィルター留め具１０は集塵室７から取り外されている（これについては別途詳細に説明する）。そして、牽引ハンドル１５ｃが回動され、牽引用孔１３ａ、１３ｂの方向に略等しくなるまで起立している。なお、フィルターフレーム１０ａ、１０ｂによって形成された略矩形状（図において、正確には五角形状）の枠には、図示しないシート状フィルター９が支持されている。
【００１８】
図７において、牽引ハンドル１５ｃが牽引繋ぎ材１５ａ、１５ｂを牽引しているから、これに接続されたヒンジ１６ａ、１６ｂは牽引用孔１３ａ、１３ｂ内に引き込まれ、これに伴って、フィルターフレーム１０ａ、１０ｂの端部も牽引用孔１３ａ、１３ｂ内に引き込まれている。このとき、牽引用孔１３ａ、１３ｂの一方の面（上流側の面）の口元は、平面視において略ハ字状（直線状または円弧状）に面取りされているから、フィルターフレーム１０ａ、１０ｂは回動してＶ字状を呈している。
【００１９】
図８において、牽引ハンドル１５ｃが、さらに牽引されているから、フィルターフレーム１０ａ、１０ｂの端部は牽引用孔１３ａ、１３ｂ内に、さらに引き込まれ、フィルターフレーム１０ａとフィルターフレーム１０ｂとは当接している。このとき、フィルターフレーム１０ａ、１０ｂにはシート状フィルター９が支持されているから、シート状フィルター９の周縁部の一方の略コ字状範囲は、該周縁部の他方の略コ字状範囲に重なって挟圧されることになる。すなわち、二つ折り状態のシート状フィルター９は３辺が接続した袋になる。すなわち、吸引された塵埃は、該袋内に収納され、周囲に舞い上がることがない。
【００２０】
なお、フィルターフレーム１０ａ、１０ｂの全長が、重なった状態で牽引用孔１３ａ、１３ｂを通過自在であるから、フィルターフレーム１０ａ、１０ｂはフィルター留め枠１３から離脱するため、作業者は、前記袋（吸引された塵埃を収納している）に触れることなく、牽引ハンドル１５ｃを掴んで前記袋を廃棄場所にまで運搬することができる。
また、たとえば、フィルターフレーム１０ａに突出する突起あるいは突条を設け、図８の状態において該突起あるいは突条が侵入自在な孔または溝をフィルターフレーム１０ｂに設けておけば、シート状フィルター９の周縁部の重なった範囲の当該部分は突起あるいは突条によって孔または溝内に押し込まれて堅固に把持されるから、前記袋は、容易に口を開かないものになる。
【００２１】
また、ヒンジ１６ａ、１６ｂを開く方向（フィルターフレーム１０ａ、１０ｂが平面を形成する方向に同じ）に付勢する付勢手段（たとえば、コイルばね、ヒゲばね等）を設置すれば、シート状フィルター９をフィルターフレーム１０ａ、１０ｂに支持させる作業が容易になり、使い勝手を向上させることができる。
一方、ヒンジ１６ａ、１６ｂを閉じる方向（フィルターフレーム１０ａ、１０ｂが重なる方向に同じ）に付勢する付勢手段（たとえば、コイルばね、ヒゲばね等）を設置すれば、吸引された塵埃をシート状フィルター９と共に廃棄する際、前記牽引作業が容易になり、使い勝手を向上させることができる。
さらに、かかる付勢手段の付勢を付加または解除する「切り替えクラッチ機構」およびこれを操作する「操作ボタン」を設けてもよい。そうすると、前記使い勝手はさらに向上する。
【００２２】
（フィルター留め具の着脱状況）
図９および図１０は本発明の実施形態１に係る電気掃除機におけるフィルター留め具の着脱状況を模式的に示す側面視の断面図である。
図９において、集塵室７のケース外筒部７ｃの下面にフィルター部８が回動自在に係止するフィルター部係止機構１８と、フィルター留め具１０が回動自在かつ着脱自在に係止する留め具係止部（図示しない）が設けられている。また、ケース外筒部７ｃの上面に、集塵室ハンドル７ｈが設けられ、集塵室ハンドル７ｈの一方の端部（下流側の端部）にフィルター部ロック機構２０および留め具ロック機構３０が設けられている。
【００２３】
フィルター部８を構成する二次フィルター保持体１２ｂの下面には係止アーム１２ｅが設置され、係止アーム１２ｅの先端がフィルター部係止機構１８に回動自在に係止している。また、二次フィルター保持体１２ｂの上面にはロック用アーム１２ｄが設置され、ロック用アーム１２ｄの先端に上方に突出するロック用突起１２ｃが形成されている。
【００２４】
一方、フィルター部ロック機構２０は、ケース外筒部７ｃの下流側に突出して片持ち梁状に設置されたフィルター部ロック用プレート２１であって、その先端には下方に向かって突出するフィルター部ロック爪２２と、先端から僅かに離れた位置には下方に向かって突出する留め具ロック爪２３と、が形成されている。
そして、図９において、フィルター部ロック用プレート２１は略水平に倒伏しているため、垂直姿勢であるフィルター部８のロック用突起１２ｃがフィルター部ロック爪２２に離脱不能にロックされている。
このとき、フィルター留め具１０はフィルター部８０によって、集塵室７の留め具設置面７ｂに押し当てられ、フィルター留め具１０を形成するフィルター留め枠１３の上面に設けられたロック用突起１３ｃが、留め具ロック爪２３に離脱不能にロックされている。
【００２５】
図１０において、フィルター部ロック用プレート２１は傾動して斜めになっているため、フィルター部８のロック用突起１２ｃはフィルター部ロック爪２２から離脱し、フィルター留め具１０のロック用突起１３ｃは留め具ロック爪２３から離脱し、何れもロックが開放されている。このため、フィルター部８は大きく回動している。
一方、フィルター留め具１０は留め具ロック機構３０によってロックされ、僅かに傾動するのみである。
留め具ロック機構３０は、ケース外筒部７ｃの下流側に突出して片持ち梁状に設置された留め具ロック用プレート３１であって、その先端には下方に向かって突出する留め具ロック爪３２が形成されている。そして、図１０において、留め具ロック用プレート３１は略水平に倒伏しているため、略垂直姿勢であるフィルター留め具１０の拘束用突起１３ｄが留め具ロック爪３２に離脱不能に拘束されている。
【００２６】
そして、留め具ロック用プレート３１は回動自在または可撓性を具備するから、その先端を持ち上げて、留め具ロック爪３２をロック用突起１３ｃから離脱させれば、フィルター留め具１０は大きく回動するものである。さらに、フィルター留め枠１３の下面に設けられた留め具係止アーム１７は、集塵室７に設けられた留め具係止部（図示しない）に着脱自在であるから、フィルター留め具１０は集塵室７から取り外すことができるものである。
【００２７】
（フィルター部ロックプレートのバリエーション）
図１１は本発明の実施形態１に係る電気掃除機におけるフィルター部ロックプレートのバリエーションを模式的に示す側面図である。図１１において、フィルター部ロック用プレート２１ｘには、フィルター部ロック爪２２と留め具ロック爪２３が形成され、両者の間に、第二留め具ロック爪２３が形成されている。
したがって、フィルター部ロック用プレート２１を持ち上げて行くと、フィルター部８とフィルター留め具１０とのロックがまず開放されるものの、フィルター留め具１０は第二留め具ロック爪２３によって再度ロックされるため、大きく回動することはない。
【００２８】
なお、前記ロック機構は図示するものに限定するものではなく、フィルター部ロック用プレート２１および留め具ロック用プレート３１を傾動させる操作ボタンを設置してもよい。また、前記傾動に替えて、フィルター部ロック用プレート２１および留め具ロック用プレート３１に可撓性を付与して、これを撓ませてもよい。
さらに、フィルター部ロック用プレート２１から留め具ロック爪２３を撤去して、フィルター留め具１０をフィルター部８を介してロックするようにしてもよい。
あるいは、フィルター部ロック用プレート２１の留め具ロック爪２３の設置位置を先端よりに移動してその突出量を増大し、フィルター留め具１０をフィルター部８を介してロックすると共に、留め具ロック用プレート３１の設置を省略してもよい。
【００２９】
（塵埃の廃棄要領）
図１２〜図１６は本発明の実施形態１に係る電気掃除機におけるシート状フィルターを廃棄する要領を模式的に示す側面視の断面図である。
【００３０】
図１２は図１０に同じであって、集塵室７は掃除機本体１から取り外されている。そして、フィルター部ロック機構２０はフィルター部８を解除し、留め具ロック機構３０はフィルター留め具１０をロックしている。したがって、フィルター部８０は大きく回動するものの、フィルター留め具１０は僅かに回動しただけで、それ以上には回動不能になっている。
そして、牽引ハンドル１５ｃが回動されて起こされているから、図中、コ字状に見えている。
【００３１】
図１３において、牽引ハンドル１５ｃが下流側（図中、右方向）に牽引だれているから、フィルターフレーム１０ａ、１０ｂの端部も牽引用孔１３ａ、１３ｂ内に引き込まれている。このとき、牽引用孔１３ａ、１３ｂの一方の面（上流側の面）の口元は、平面視において略ハ字状（直線状または円弧状）に面取りされているから、フィルターフレーム１０ａ、１０ｂは回動してＶ字状を呈している（図７参照）。
【００３２】
図１４において、牽引ハンドル１５ｃは、さらに牽引されているから、フィルターフレーム１０ａとフィルターフレーム１０ｂとは当接している。このとき、図示しないシート状フィルター９は二つ折り状態になって、３辺が接続した袋になっている（図８参照）。すなわち、吸引された塵埃は、該袋内に収納され、周囲に舞い上がることがない。
【００３３】
図１５において、牽引ハンドル１５ｃは、さらに牽引されているから、牽引繋ぎ材１５ａ、１５ｂおよびヒンジ１６ａ、１６ｂは牽引用孔１３ａ、１３ｂを通過して、フィルター留め具１０から離脱している。
【００３４】
図１６において、牽引ハンドル１５ｃは、さらに牽引されているから、重なった状態のフィルターフレーム１０ａ、１０ｂは牽引用孔１３ａ、１３ｂを通過してフィルター留め具１０から離脱している。すなわち、使用者は、牽引ハンドル１５ｃを掴むだけで、シート状フィルター９（図示しない）に直接触れることなく、吸引された塵埃を収容している前記袋を、廃棄場所に運搬することができる。
そして、廃棄場所において、ヒンジ１６ａ、１６ｂを開けば、前記袋は口を閉じたままで、フィルターフレーム１０ａ、１０ｂから脱落することになる。よって、このときも、使用者は、シート状フィルター９（図示しない）に直接触れることなく、吸引された塵埃および使用されたシート状フィルター９（袋状になっている、図示しない）を、周囲に塵埃を舞い上がらせることなく廃棄することができる。
【００３５】
[実施の形態２]
図１７および図１８は本発明の実施形態２に係る電気掃除機を模式的に示すものであって、図１７は留め具の斜視図、図１８の（ａ）は集塵室の側面視の断面図、図１８の（ｂ）は平面視の断面図である。
図１７および図１８において、電気掃除機２００は、塵埃を集塵する集塵部２０２を有し、集塵部２０２は本体ダストカバー４（図１参照）によって覆われるものであって、集塵室７０と、集塵室７０の下流側に設置されるフィルター留め具５０と、シート状フィルター留め具５０の下流側に設置されるフィルター部８と、から構成されている。
【００３６】
（集塵室）
集塵室７０は、一方の面に開口したフィルター側開口部７ａが形成されたケース外筒部７ｃと、ケース外筒部７ｃに連なるケース天井部７ｄ（図示しないホース用孔部が形成されている）とを具備している。そして、フィルター部８は、集塵室７０のケース外筒部７ｃの下面に設けられたフィルター部係止機構１８に回動自在に係止すると共に、ケース外筒部７ｃの上面に設けられたフィルター部ロック機構２０（但し、留め具ロック爪２３を具備しない）によって離脱不能にロックされるものである。したがって、フィルター部８を回動してフィルター側開口部７ａを覆えば、集塵室７０は略密閉された容器となる（正確には、ホース用孔部や後記ヒンジ１６ａが貫通する孔がある）。
【００３７】
（フィルター留め具）
シート状フィルター留め具（以下「フィルター留め具」と称す）５０は、ヒンジ１６ａ、１６ｂによって回動自在に接続された一対の略コ字状のフィルターフレーム１０ａ、１０ｂと、フィルターフレーム１０ａ、１０ｂの一方の先端から延設されたフレーム延設部５１ａ、５１ｂと、を有している。なお、フレーム延設部５１ａ、５１ｂには使用者の指が入る指挿入孔５２ａ、５２ｂが形成されている。
なお、フィルター部８と集塵室７０との当接部の一部に切欠部５３が形成され、ヒンジ１６ｂが切欠部５３を通過している。すなわち、フィルターフレーム１０ａ、１０ｂは集塵室７０内に収納され、フレーム延設部５１ａ、５１ｂとが集塵室７０の外に露出している。
【００３８】
（塵埃の廃棄要領）
図１９〜図２１は本発明の実施形態２に係る電気掃除機におけるシート状フィルターを廃棄する要領を模式的に示すものであって、図２０の（ｂ）が平面視の断面図である以外、それぞれ側面視の断面図である。
図１９において、本体ダストカバー４（図１参照）が開かれ、集塵室７０は掃除機本体１から取り外されている。
図２０において、使用者がフレーム延設部５１ａ、５１ｂを回動して閉じている（図中、破線にて示す）。すなわち、「鋏」の操作と同じ操作をしているから、フィルターフレーム１０ａ、１０ｂは互いに当接する。このため、これに支持されていたシート状フィルター９は二つ折りとなって、その３辺が当接し、袋状になっている。
そして、使用者がフレーム延設部５１ａ、５１ｂを回動して開いている（図中、実線にて示す）から、前記袋はフィルターフレーム１０ａ、１０ｂから離脱して、集塵室７０内に落下することになる。
【００３９】
図２１において、使用者が、廃棄場所において、フィルター部ロック機構２０を解除しているから、フィルター部８は大きく回動して集塵室７０のフィルター側開口部７ａは開き、前記袋（吸引した集塵、およびこれを収容したシート状フィルター）は、集塵室７０から集塵場所に落下することになる。
したがって、使用者は、シート状フィルター９に直接触れることなく、吸引された塵埃および使用されたシート状フィルター９（袋状になっている）を、周囲に塵埃を舞い上がらせることなく廃棄することができる。
【００４０】
なお、以上は、フィルター部８にフィルターフレーム１０ａ、１０ｂが直接当接している図になっているが、本発明はこれに限定するものではなく、フィルター部８にフィルターフレーム１０ａ、１０ｂが当接する枠体を設け、該枠体にパッキンを設置してもよい。
また、ヒンジ１６ａとヒンジ１６ｂとを連結するヒンジ連結棒１６ｃを設置して、フレーム延設部５１ａ、５１ｂの動きをヒンジ１６ａに確実に伝達するようにしているが、ヒンジ連結棒１６ｃの設置を省略してもよい。
【００４１】
[実施の形態３]
図２２は本発明の実施形態３に係る電気掃除機を模式的に示すものであって、（ａ）は集塵室の側面視の断面図、（ｂ）は留め具の平面図である。
図２２において、電気掃除機３００は、塵埃を集塵する集塵部３０２を有し、集塵部３０２は本体ダストカバー４（図１参照）によって覆われるものであって、集塵室７０と、集塵室７０の下流側に設置されるフィルター留め具４０と、シート状フィルター留め具４０の下流側に設置されるフィルター部８０と、から構成されている。
【００４２】
（集塵室）
集塵室７０は、一方の面に開口したフィルター側開口部７ａが形成されたケース外筒部７ｃと、ケース外筒部７ｃに連なるケース天井部７ｄ（図示しないホース用孔部が形成されている）とを具備している。そして、フィルター部８は、集塵室７０のケース外筒部７ｃの下面に設けられたフィルター部係止機構１８に回動自在に係止すると共に、ケース外筒部７ｃの上面に設けられたフィルター部ロック機構２０（但し、留め具ロック爪２３を具備しない）によって離脱不能にロックされるものである。したがって、フィルター部８を回動してフィルター側開口部７ａは覆えば、集塵室７０は略密閉された容器となる（正確には、ホース用孔部やヒンジ１６ａが貫通する孔がある）。
【００４３】
（フィルター留め具）
シート状フィルター留め具（以下「フィルター留め具」と称す）４０は、ヒンジ１６ａ、１６ｂによって回動自在に接続された一対の略コ字状のフィルターフレーム１０ａ、１０ｂと、ヒンジ１６ａ、１６ｂを閉じる方向（フィルターフレーム１０ａ、１０ｂが当接する方向に同じ）に付勢する図示しない付勢手段と、を有している。そして、フィルターフレーム１０ａ、１０ｂが広げられて形成された略矩形状の枠体にシート状フィルター９が支持されている。
【００４４】
（フィルター部）
フィルター部８０の上部（正確には、図示しない二次フィルター保持体１２ｂの上部（図２参照））には、ヒンジ１６ａ、１６ｂが閉じないように固定するヒンジ固定アーム８１が傾動自在に設置され、さらに、上部に突出するヒンジ固定アーム８１の傾動を制御するヒンジ操作ボタン８２が設けられている。
図２２において、フィルターフレーム１０ａ、１０ｂは広げられている。このとき、ヒンジ操作ボタン８２は本体ダストカバー４によって、押し付けられているものの、本体ダストカバー４が開けられると、上方に向かって移動可能になっている（図示しない付勢手段が設置されている）。
【００４５】
（塵埃の廃棄要領）
図２３〜図２５は本発明の実施形態３に係る電気掃除機におけるシート状フィルターを廃棄する要領を模式的に示すものであって、図２３の（ｂ）および図２５の（ｂ）が平面視の断面図である以外、それぞれ側面視の断面図である。
図２３において、本体ダストカバー４（図１参照）が開かれ、ヒンジ操作ボタン８２は上方に向かって移動している。このため、ヒンジ固定アーム８１は起立する方向に傾動し、ヒンジ１６ａ、１６ｂの固定を開放しているから、フィルターフレーム１０ａ、１０ｂは図示しない付勢手段によって付勢されて閉じている。したがって、これに支持されたシート状フィルター９は二つ折りになって、その３辺が当接し、袋状になっている。
【００４６】
図２４において、使用者が、フィルター部ロック機構２０を解除しているから、集塵室７０のフィルター側開口部７ａは開き、前記袋を把持したままのフィルターフレーム１０ａ、１０ｂが設置された状態で、フィルター部８は大きく回動している。
【００４７】
図２５において、使用者が、廃棄場所において、ヒンジ操作ボタン８２を押し込んでいるから、これによってヒンジ１６ａ、１６ｂは回動して開き、フィルターフレーム１０ａ、１０ｂは略平面状になっている。このため、前記袋（吸引した集塵、およびこれを収容したシート状フィルター）はヒンジ１６ａ、１６ｂから離脱して、廃棄場所に落下することになる。
このとき、ヒンジ１６ａ、１６ｂは回動不能にロックされるものである。しかしながら、フィルター部８０が、集塵室７０のフィルター側開口部７ａを閉じてフィルター部ロック機構２０によってロックされた後、ヒンジ操作ボタン８２が本体ダストカバー４によってさらに押し込まれた際、ヒンジ１６ａ、１６ｂは回動可能に開放されるものである。
【００４８】
したがって、使用者は、シート状フィルター９に直接触れることなく、吸引された塵埃および使用されたシート状フィルター９（袋状になっている）を、周囲に塵埃を舞い上がらせることなく廃棄することができる。
なお、以上は、フィルター部８０にフィルターフレーム１０ａ、１０ｂが直接当接している図になっているが、本発明はこれに限定するものではなく、フィルター部８にフィルターフレーム１０ａ、１０ｂが当接する枠体を設け、該枠体にパッキンを設置してもよい。
【産業上の利用可能性】
【００４９】
以上より、本発明の電気掃除機は、使い捨て可能なシート状フィルターを用いて貯留した塵埃と使用済みのシート状フィルターとの両方を、塵埃を舞い上がらせることなく廃棄することができるから、家庭用および事業用の各種電気掃除機として広く利用することができる。
【図面の簡単な説明】
【００５０】
【図１】本発明の実施形態１に係る電気掃除機を模式的に示す平面視の断面図。
【図２】図１に示す掃除機本体における集塵部の平面視の断面図。
【図３】図１に示す掃除機本体における留め具の正面図（上流側から見る）。
【図４】図１に示す掃除機本体における留め具の背面図（下流側から見る）。
【図５】図１に示す掃除機本体における留め具の平面視の断面図。
【図６】図１に示すフィルター留め具のヒンジの開閉状況を示す断面図。
【図７】図１に示すフィルター留め具のヒンジの開閉状況を示す断面図。
【図８】図１に示すフィルター留め具のヒンジの開閉状況を示す断面図。
【図９】図１に示すフィルター留め具の着脱状況を模式的に示す断面図。
【図１０】図１に示すフィルター留め具の着脱状況を模式的に示す断面図。
【図１１】図１に示すフィルター部ロックプレートのバリエーションを示す側面図。
【図１２】図１に示すシート状フィルターを廃棄する要領を示す断面図。
【図１３】図１に示すシート状フィルターを廃棄する要領を示す断面図。
【図１４】図１に示すシート状フィルターを廃棄する要領を示す断面図。
【図１５】図１に示すシート状フィルターを廃棄する要領を示す断面図。
【図１６】図１に示すシート状フィルターを廃棄する要領を示す断面図。
【図１７】本発明の実施形態２に係る電気掃除機における留め具を示す斜視図。
【図１８】本発明の実施形態２に係る電気掃除機における集塵室の断面図。
【図１９】図１８に示すシート状フィルターを廃棄する要領を示す断面図。
【図２０】図１８に示すシート状フィルターを廃棄する要領を示す断面図等。
【図２１】図１８に示すシート状フィルターを廃棄する要領を示す断面図等。
【図２２】本発明の実施形態３に係る電気掃除機における集塵室を示す断面図等。
【図２３】図２２に示すシート状フィルターを廃棄する要領を示す断面図。
【図２４】図２２に示すシート状フィルターを廃棄する要領を示す断面図。
【図２５】図２２に示すシート状フィルターを廃棄する要領を示す断面図。
【符号の説明】
【００５１】
１：掃除機本体、２：集塵部、３：電動送風機、４：本体ダストカバー、５：ホース、６：吸気流入口、７：集塵室、７ａ：フィルター側開口部、７ｂ：留め具設置面、７ｃ：ケース外筒部、７ｄ：ケース天井部、７ｅ：ホース用孔部、７ｆ：ケース内筒部、７ｈ：集塵室ハンドル、８：フィルター部、９：シート状フィルター、１０：留め具、１０ａ：フィルターフレーム、１０ｂ：フィルターフレーム、１０ｆ：フレーム開口部、１１：一次フィルター部、１１ａ：一次フィルター、１１ｂ：一次フィルター保持体、１２：二次フィルター部、１２ａ：二次フィルター、１２ｂ：二次フィルター保持体、１２ｃ：ロック用突起、１２ｄ：ロック用アーム、１２ｅ：係止アーム、１３：フィルター留め枠、１３ａ：牽引用孔、１３ｂ：牽引用孔、１３ｃ：ロック用突起、１３ｆ：風路開口部、１４：パッキン、１５：ヒンジ開閉手段、１５ａ：牽引繋ぎ材、１５ｂ：牽引繋ぎ材、１５ｃ：牽引ハンドル、１６ａ：ヒンジ、１６ｂ：ヒンジ、１６ｃ：ヒンジ連結棒、１７：留め具係止アーム、１８：フィルター部係止機構、２０：フィルター部ロック機構、２１：フィルター部ロック用プレート、２１ｘ：フィルター部ロック用プレート、２２：フィルター部ロック爪、２３：留め具ロック爪、３０：留め具ロック機構、３１：留め具ロック用プレート、３２：留め具ロック爪、４０：留め具、５０：留め具、５１ａ：フレーム延設部、５１ｂ：フレーム延設部、５２ａ：指挿入孔、５２ｂ：指挿入孔、５３：切欠部、７０：集塵室、８０：フィルター部、８１：ヒンジ固定アーム、８２：ヒンジ操作ボタン、１００：電気掃除機、２００：電気掃除機(実施の形態２)、２０２：集塵部(実施の形態２)、３００：電気掃除機(実施の形態３)、３０２：集塵部(実施の形態３)。
【図１】
2008220649.tif 000003
【図２】
2008220649.tif 000004
【図３】
2008220649.tif 000005
【図４】
2008220649.tif 000006
【図５】
2008220649.tif 000007
【図６】
2008220649.tif 000008
【図７】
2008220649.tif 000009
【図８】
2008220649.tif 000010
【図９】
2008220649.tif 000011
【図１０】
2008220649.tif 000012
【図１１】
2008220649.tif 000013
【図１２】
2008220649.tif 000014
【図１３】
2008220649.tif 000015
【図１４】
2008220649.tif 000016
【図１５】
2008220649.tif 000017
【図１６】
2008220649.tif 000018
【図１７】
2008220649.tif 000019
【図１８】
2008220649.tif 000020
【図１９】
2008220649.tif 000021
【図２０】
2008220649.tif 000022
【図２１】
2008220649.tif 000023
【図２２】
2008220649.tif 000024
【図２３】
2008220649.tif 000025
【図２４】
2008220649.tif 000026
【図２５】
2008220649.tif 000027